(57)【要約】【課題】ＧＰＳ衛星の電波が受信できない場所に画像形成装置を配置された場合であっても、電源投入後、仕向けの設定を行うことができる画像形成装置を提供する。【解決手段】電力供給手段１４と、前記電力供給手段１４から前記ＧＰＳ受信手段１１へ一定の間隔で電力を供給する間欠給電手段１３と、間欠給電時に前記ＧＰＳ受信手段１１により受信した座標データをメモリする記憶手段１２とを備え、前記仕向け設定手段１０は前記記憶手段１２に記憶された直近の座標データに基づいて仕向けに対応したデータが設定される。【選択図】図２
2008216752.tif 000002
【特許請求の範囲】
【請求項１】
ＧＰＳ受信手段と、前記ＧＰＳ受信手段より受信した座標データに基づいて画像形成装置の仕向けに対応したデータを設定する仕向け設定手段を備えた画像形成装置であって、
電力供給手段と、前記電力供給手段から前記ＧＰＳ受信手段へ一定の間隔で電力を供給する間欠給電手段と、間欠給電時に前記ＧＰＳ受信手段により受信した座標データをメモリする記憶手段とを備え、前記仕向け設定手段は前記記憶手段に記憶された直近の座標データに基づいて仕向けに対応したデータが設定される画像形成装置。
【発明の詳細な説明】
【技術分野】
【０００１】
本発明は、前記ＧＰＳ受信手段より受信した座標データに基づいて画像形成装置の仕向けに対応したデータを設定する仕向け設定手段を備えた画像形成装置に関する。
【背景技術】
【０００２】
国或いは地域毎に使用される言語や用紙サイズなどが異なるため、画像形成装置では、工場出荷段階で仕向け地別に言語や用紙サイズの設定が行なわれ、或いは、流通後に設置された画像形成装置に対するカスタマサービスなどで言語や用紙サイズの設定がオペレーションパネルを介したマニュアル操作で行なわれていた。
【０００３】
しかし、このような仕向け設定操作は手間が掛かるため、非常に煩わしく、改善が望まれていた。
【０００４】
そこで、特許文献１には、電源オンまたはリモコン装置のキー操作にて、ＧＰＳ受信部でＧＰＳ衛星の電波を受信し、位置を測定し、このデータに基づき国・地域判別部で国・地域を判別し、言語データ判別部にて、言語データ記憶部より読出した言語データから国・地域判別部で判別された国・地域の言語データを判別し、オンスクリーン表示信号生成部でオンスクリーン表示するための信号を生成し、表示部の画面にオンスクリーン表示する映像表示装置が提案されている。
【特許文献１】特開２００２−１５６９６０号公報
【発明の開示】
【発明が解決しようとする課題】
【０００５】
しかし、上述した従来技術では、画像形成装置がＧＰＳ衛星の電波が受信できない地下室などに設置された場合、前記ＧＰＳ衛星で位置を測定することができないため、電源投入またはリモコン操作によって、設置されている地域を判別することができないという問題があった。
【０００６】
本発明は、上述の問題点に鑑み、ＧＰＳ衛星の電波が受信できないような場所に画像形成装置が設置された場合であっても、容易に仕向けの設定を行うことができる画像形成装置を提供することを目的とする。
【課題を解決するための手段】
【０００７】
上述の目的を達成するため、本発明による画像形成装置の第一の特徴構成は、特許請求の範囲の書類の請求項１に記載した通り、ＧＰＳ受信手段と、前記ＧＰＳ受信手段より受信した座標データに基づいて画像形成装置の仕向けに対応したデータを設定する仕向け設定手段を備えた画像形成装置であって、電力供給手段と、前記電力供給手段から前記ＧＰＳ受信手段へ一定の間隔で電力を供給する間欠給電手段と、間欠給電時に前記ＧＰＳ受信手段により受信した座標データをメモリする記憶手段とを備え、前記仕向け設定手段は前記記憶手段に記憶された直近の座標データに基づいて仕向けに対応したデータが設定される点にある。
【０００８】
上述の構成によれば、画像形成装置が例えば地下などのＧＰＳ受信手段によりＧＰＳデータに含まれる座標データが受信できない場所に設置された場合であっても、当該画像形成装置の運搬中に、間欠給電手段により電力供給手段からＧＰＳ受信手段に電力が供給されたときに、座標データを取得することができる。そのようなときに取得された座標データを記憶手段に記憶するように構成しておけば、記憶された直近の座標データに基づいて設置された場所が推定できるようになり、仕向け設定手段が当該直近の座標データに基づいて仕向け設定できるようになる。
【発明の効果】
【０００９】
以上説明した通り、本発明によれば、ＧＰＳ衛星の電波が受信できない場所に画像形成装置を配置された場合であっても、電源投入後、仕向けの設定を行うことができる画像形成装置を提供することができるようになった。
【発明を実施するための最良の形態】
【００１０】
以下、本発明による画像形成装置の一例である多機能複写機について説明する。
【００１１】
複写機２は、図１に示すように、複写メニューを設定する複数のメニューキー等が表示され各メニューキーに対する操作を検出する液晶タッチパネル３や設定された複写メニューで複写動作を起動するスタートキー等が配置される操作部４と、原稿載置部５にセットされた一連の原稿を順次読込んで電子データに変換する画像読取部６と、前記画像読取部６によって電子データに変換された画像データや外部ＦＡＸから送信される画像データやＰＣから送信される画像データ等に基づいて用紙上にトナー像を形成して出力する電子写真方式の画像形成部７等の機能ブロックと、前記複写機２側面にネジ止めされたカバーの内側に配置されたメイン回路基板１と、それぞれ異なるサイズまたは種類の用紙が収容された複数の給紙カセット９とを備えて構成されている。
【００１２】
前記メイン回路基板１は、上述の機能ブロックのシステムを制御するＣＰＵ１００を備えたＣＰＵボードで、仕向け設定手段１０として機能するＣＰＵ１００と、前記システムを制御する複数の回路基板４００と、ＣＰＵ１００のプログラムを格納するＲＯＭ３００や、データを記憶するＲＡＭ２００を備えて構成される。さらに、前記メイン回路基板１には、前記複写機２が設置されている場所の位置を検出するＧＰＳ受信手段１１と、前記ＧＰＳ受信手段１１より取得した情報を記憶する記憶手段としての不揮発性ＲＡＭ１２と、一定の間隔で前記ＧＰＳ受信手段１１を駆動させる間欠給電手段１３とからなるＧＰＳ受信装置が接続されている。
【００１３】
前記ＧＰＳ受信装置には、前記複写機２の主電源がオフの状態であっても前記ＧＰＳ受信手段１１がデータの受信を行うことができるよう電力が供給されるように電力供給手段としてスーパーキャパシタ１４が接続されている。
【００１４】
前記複写機２が主電源オフの状態で搬送されている間、前記スーパーキャパシタ１４は前記間欠給電手段１３に設定された一定の時間間隔（例えば３０分）で前記ＧＰＳ受信手段１１に給電を行う。給電された前記ＧＰＳ受信手段１１は、ＧＰＳから電波を受信して前記複写機２のそのときの座標データを取得する。受信された前記複写機２の座標データは前記記憶手段１２に取得時刻情報と共に記憶される。
【００１５】
前記仕向け設定手段１０は、図３に示すように、前記記憶手段１２に記憶された直近の座標データに基づいて、地域毎に設定されているテーブルデータより仕向けコードを決定する。決定された仕向けコード基づいて、前記仕向け設定手段１０は用紙のサイズ、液晶タッチパネル３に表示される言語等を選択するように構成されている。
【００１６】
以下に、前記複写機２が搬送され仕向け設定が行われる場合におけるＧＰＳ受信について、図４に示すフローチャートに基づき説明する。
【００１７】
前記複写機２が搬送中電源オフの場合（Ｓ１、Ｙｅｓ）、前記間欠給電手段１３によって一定間隔で時間が経過すると（Ｓ２、Ｙｅｓ）、スーパーキャパシタ１４より前記ＧＰＳ受信装置に給電される（Ｓ３）。前記ＧＰＳ受信装置に給電されると、ＧＰＳ受信手段１１により現在の複写機２が位置する座標データを取得する（Ｓ４、Ｙｅｓ）。取得された座標データは前記記憶手段１２に記憶される（Ｓ５）。
【００１８】
前記複写機２が納入先に搬送されて、設置アップ時に電源が投入されると（Ｓ６、Ｙｅｓ）、前記ＧＰＳ受信手段１１は現在の複写機２が位置する座標データを取得する（Ｓ７）。このとき、前記複写機２が地下などに配置されＧＰＳ受信手段１１により座標データを取得できない場合（Ｓ７、Ｎｏ）、ステップ４で取得され、前記記憶手段により記憶された直近の座標データを現在の前記複写機２が位置する座標データとして取得する（Ｓ１１）。
【００１９】
前記仕向け手段１０によって前記複写機２の現在の座標データが決定されると（Ｓ８）前記テーブルデータより前記座標データが位置する地域が選択され（Ｓ９）、前記選択されたテーブルデータの地域の仕向けコードが設定される（Ｓ１０）。前記仕向けコードが設定されると前記複写機２は設定された仕向けに設定され仕向け設定が終了する。
【００２０】
以下に、別実施形態について説明する。
【００２１】
上述した実施形態では、電力供給手段にスーパーキャパシタ１４を用いたものを説明したが、主電源がオフの状態であっても前記回路基板１に電力を供給することができるものであれば電池などの任意の蓄電手段を用いることができる。
【００２２】
上述した実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００２３】
【図１】複写機の説明図
【図２】本実施例における複写機のシステムブロック図
【図３】本実施例における仕向け設定の説明図
【図４】本実施例における仕向け設定のフローチャート
【符号の説明】
【００２４】
１：回路基板
１０：仕向け設定手段
１１：ＧＰＳ受信手段
１２：記憶手段
１３：間欠給電手段
１４：スーパーキャパシタ
１００：ＣＰＵ
２００：ＲＡＭ
３００：ＲＯＭ
【図１】
2008216752.tif 000003
【図２】
2008216752.tif 000004
【図３】
2008216752.tif 000005
【図４】
2008216752.tif 000006